【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
各医療者に携行され、少なくとも予め設定されている識別番号を送信する無線通信媒体と、
少なくとも通路や各病室内に設置された中継器によって、前記無線通信媒体からの前記識別番号を受信して、ホスト計算機に送信する中継手段と、
行先表示画面をリアルタイム表示する表示端末と、
前記ホスト計算機に設けられ、予め定められた病棟内のレイアウトの前記中継手段で受信した受信信号から算出した所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする医療者の行先表示システム。
【請求項２】
各医療者に携行され、少なくとも方位情報を送信する識別番号で管理されている無線通信媒体と、
少なくとも通路や各病室内のベッド毎に設置された中継器によって、前記無線通信媒体からの情報を受信して、所在位置となる中継器番号を付加した情報をホスト計算機に送信する中継手段と、
行先表示画面をリアルタイム表示する表示端末と、
前記ホスト計算機に設けられ、予め定められた病棟内のレイアウトの前記中継器番号に応じた所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする医療者の行先表示システム。
【請求項３】
各医療者に携行され、少なくとも位置情報、方位情報および動作情報を送信することが可能な識別番号で管理されている携帯端末と、
病棟内の必要箇所に設置された双方向の中継器によって、前記携帯端末からの情報をホスト計算機に送信する中継手段と、
行先表示画面をリアルタイム表示する表示端末と、
前記ホスト計算機に設けられ、予め定められた病棟内のレイアウトの前記位置情報に応じた所在位置に、予め登録された医療者テーブルを参照して得られる前記識別番号に対応する医療者を示すように、少なくとも前記方位情報を含む行先表示情報を作成して前記携帯端末および前記表示端末に表示する行先検出表示手段と、を有することを特徴とする医療者の行先表示システム。
【請求項４】
前記行先表示画面は、前記医療者を識別し、前記レイアウト内の位置と方位又は動作を同時に表示するブロックによって行先が表示されていることを特徴とする請求項１乃至３のいずれか１項に記載の医療者の行先表示システム。
【請求項５】
前記行先表示画面は、前記医療者の所属グループ毎に前記ブロックが色分けされていることを特徴とする請求項４に記載の医療者の行先表示システム。
【請求項６】
前記医療者テーブルには、前記行先表示画面への表示／非表示が設定できることを特徴とする請求項１乃至３のいずれか１項に記載の医療者の行先表示システム。
【請求項７】
前記医療者が病室内の同じベッド付近での停留時間の計数を行う行先サーチ記録テーブルを更に有し、
前記行先検出表示手段は、前記停留時間が第１設定時間を越えた場合は当該医療者の行先表示に注意を促す第１表示を行い、前記停留時間が前記第１設定時間より大きい第２設定時間を越えた場合は当該医療者の行先表示に異常を促す第２表示を行うことを特徴とする請求項１乃至３のいずれか１項に記載の医療者の行先表示システム。
【請求項８】
前記行先検出表示手段は、特定の医療者を指示する入力を受けた場合、前記表示端末又は前記携帯端末の前記行先表示画面上に、当該医療者の居場所を特定するマーク又は点滅表示することを特徴とする請求項１乃至３のいずれか１項に記載の医療者の行先表示システム。
【請求項９】
各医療者に携行され、識別番号によって管理される携帯端末であって、
位置情報および方位情報を出力するセンサと、
移動又は停止の動作情報を出力する動作センサと、
前記位置情報、前記方位情報、および前記動作情報に識別番号を付与した情報を近接する送受信器を経由してホスト計算機に送信する通信手段と、
前記各情報と予め登録される医療者テーブルおよび病室レイアウトの情報とを基に前記ホスト計算機によって作成された前記医療者の位置と方位又は動作を示す行先表示情報を前記通信手段を経由して受信し、画面に行先表示する制御部と、を有することを特徴とする医療者の行先表示端末。
【手続補正２】
【補正対象書類名】明細書
【補正対象項目名】０００７
【補正方法】変更
【補正の内容】
【０００７】
本発明の実施形態に係る医療者の行先表示システムは、各医療者に携行され、少なくとも予め設定されている識別番号を送信する無線通信媒体と、少なくとも通路や各病室内に設置された中継器によって、前記無線通信媒体からの前記識別番号を受信して、ホスト計算機に送信する中継手段と、行先表示画面をリアルタイム表示する表示端末と、前記ホスト計算機に設けられ、予め定められた病棟内のレイアウトの前記中継手段で受信した受信信号から算出した所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする。
【手続補正３】
【補正対象書類名】明細書
【補正対象項目名】０００８
【補正方法】変更
【補正の内容】
【０００８】
また実施形態に係る医療者の行先表示システムは、各医療者に携行され、少なくとも方位情報を送信する識別番号で管理されている無線通信媒体と、少なくとも通路や各病室内のベッド毎に設置された中継器によって、前記無線通信媒体からの情報を受信して、所在位置となる中継器番号を付加した情報をホスト計算機に送信する中継手段と、行先表示画面をリアルタイム表示する表示端末と、前記ホスト計算機に設けられ、予め定められた病棟内のレイアウトの前記中継器番号に応じた所在位置に、予め登録された医療者テーブルを参照して得られる前記識別番号に対応する医療者を示すように、少なくとも方位を示す行先表示情報を作成して前記表示端末に表示する行先検出表示手段と、を有することを特徴とする。
【手続補正４】
【補正対象書類名】明細書
【補正対象項目名】０００９
【補正方法】変更
【補正の内容】
【０００９】
また実施形態に係る医療者の行先表示システムは、各医療者に携行され、少なくとも位置情報、方位情報および動作情報を送信することが可能な識別番号で管理されている携帯端末と、病棟内の必要箇所に設置された双方向の中継器によって、前記携帯端末からの情報をホスト計算機に送信する中継手段と、行先表示画面をリアルタイム表示する表示端末と、前記ホスト計算機に設けられ、予め定められた病棟内のレイアウトの前記位置情報に応じた所在位置に、予め登録された医療者テーブルを参照して得られる前記識別番号に対応する医療者を示すように、少なくとも前記方位情報を含む行先表示情報を作成して前記携帯端末および前記表示端末に表示する行先検出表示手段と、を有することを特徴とする。
【手続補正５】
【補正対象書類名】明細書
【補正対象項目名】００１０
【補正方法】変更
【補正の内容】
【００１０】
また実施形態に係る医療者の行先表示端末は、各医療者に携行され、識別番号によって管理される携帯端末であって、位置情報および方位情報を出力するセンサと、移動又は停止の動作情報を出力する動作センサと、前記位置情報、前記方位情報、および前記動作情報に識別番号を付与した情報を近接する送受信器を経由してホスト計算機に送信する通信手段と、前記各情報と予め登録される医療者テーブルおよび病室レイアウトの情報とを基に前記ホスト計算機によって作成された前記医療者の位置と方位又は動作を示す行先表示情報を前記通信手段を経由して受信し、画面に行先表示する制御部と、を有することを特徴とする。